(57)【要約】      （修正有）【課題】維持管理を容易化しつつ灌水効率を高めて植栽の生育向上を図ると共に、導入コスト及び維持管理コストの低減を可能とする壁面緑化パネル及び当該壁面緑化パネルを利用した壁面緑化設備を提供する。【解決手段】パネル本体１２が、底板１３と、底板１３の外周縁に沿って立設された上枠１４、下枠１５及び両側枠１６によって形成され、底板１３上に、下層から樹皮層Ｂ、樹脂メッシュＭ、ロックウール層Ｒの順で積層固定され、パネル本体１２内に、上枠１４に沿って灌水パイプ２０が配設され、灌水パイプ２０の側面部に複数の貫通孔２１が形成され、各貫通孔２１に導水用紐状物２２が挿通され、導水用紐状物２２によって灌水パイプ２０内の水をロックウール層Ｒ及び樹皮層Ｂに供給することを特徴とする壁面緑化パネル１０及び当該壁面緑化パネル１０を利用した壁面緑化設備である。【選択図】図１
2016096754.tif 000002
【特許請求の範囲】
【請求項１】
パネル本体が、底板と、該底板の外周縁に沿って立設された上枠、下枠及び両側枠によって形成され、
前記底板上に、下層から樹皮層、樹脂メッシュ、ロックウール層の順で積層固定され、
前記パネル本体内に、前記上枠に沿って灌水パイプが配設され、
前記灌水パイプの側面部に複数の貫通孔が形成され、
各前記貫通孔に導水用紐状物が挿通され、
前記導水用紐状物によって前記灌水パイプ内の水を前記ロックウール層及び前記樹皮層に供給することを特徴とする壁面緑化パネル。
【請求項２】
前記貫通孔が前記灌水パイプの両側面部に各々形成され、
相対する一対の前記貫通孔に前記導水用紐状物が挿通され、
前記導水用紐状物の一方を前記ロックウール層に接触させ、前記導水用紐状物の他方を前記樹皮層に接触させ、前記導水用紐状物の中間部を前記灌水パイプ内の底部に固定してなることを特徴とする請求項１に記載の壁面緑化パネル。
【請求項３】
請求項１又は請求項２に記載の壁面緑化パネルを複数並べて形成される壁面緑化設備であって、
前記壁面緑化パネルの上枠及び下枠に、それぞれ複数の上側通水孔及び下側通水孔が形成され、
前記灌水パイプの上面部に複数の導水孔が形成されていることを特徴とする壁面緑化設備。
【請求項４】
複数並べられた前記壁面緑化パネルの最上部に灌水手段を備え、
該灌水手段が、複数並べられた前記壁面緑化パネルの横手方向に沿って配設される導水パイプと、該導水パイプの下面部に形成された開口に挿通される複数の給水パイプと、を含んで構成され、
前記給水パイプの一端開口が前記導水パイプ内に位置し、前記給水パイプの他端開口が、最上部に位置する前記壁面緑化パネルに接続され、
前記導水パイプ内の底部に位置する前記給水パイプの側面部に通水小孔が形成されていることを特徴とする請求項３に記載の壁面緑化設備。
【請求項５】
前記導水パイプ内に砂利が敷設されていることを特徴とする請求項４に記載の壁面緑化パネル。
【請求項６】
前記導水パイプの一端側に給水手段が接続され、
複数の前記給水パイプの各前記一端開口の位置が、前記導水パイプの一端側から他端側にかけて徐々に低くなっていることを特徴とする請求項４又は請求項５に記載の壁面緑化設備。
【発明の詳細な説明】
【技術分野】
【０００１】
本発明は、壁面緑化パネル及び当該壁面緑化パネルを複数並べて形成される壁面緑化設備に関する。
【背景技術】
【０００２】
従来から、建築物等の壁面に植栽を施すべく、種々の壁面緑化設備（壁面緑化システム）が種々開示されている（例えば、特許文献１参照。）。特許文献１に開示された壁面緑化システムは、植栽が施される培土基盤と該培土基盤を保持する枠部材を備える緑化ユニットを、構造物の壁面に沿って設置して該構造物に緑化を施すための壁面緑化システムであって、断面略凹状を呈する複数の樋部材が、それぞれ開口部側を上方に向けた状態で略水平方向に延設され、上下方向に所定の間隔をあけつつ前記構造物の壁面に支持されており、前記枠部材が前記樋部材に着脱可能に支持されて前記上下方向に隣り合う一対の前記樋部材の間に前記緑化ユニットが設置されることを特徴とする。また、前記緑化ユニットを設置した状態で、前記培土基盤と、該培土基盤の上方に位置する前記樋部材との間には、該培土基盤に灌水するための灌水部材が設けられていることを特徴とする。
【０００３】
上記の特徴を備える特許文献１に開示された壁面緑化システムによって、構造物の壁面に緑化を施すデザインの自由度を高めると共に、個々の緑化ユニットを個別にメンテナンスすることを可能としている。また、樋部材と緑化ユニットからなるシンプルな構成であるため、緑化に掛かるコストの低減が図られている。
【０００４】
更に、緑化ユニットの培土基盤と、この緑化ユニットの上方に位置する樋部材との間に灌水部材が設けられていることによって、緑化ユニットの培土基盤にその上端側から灌水することができ、これに植生した植物の好適な生育が図られている。
【先行技術文献】
【特許文献】
【０００５】
【特許文献１】特開２００７−２２２０１５号
【発明の概要】
【発明が解決しようとする課題】
【０００６】
壁面緑化においては、維持管理の容易化、灌水効率の向上を低コストで実現できることが非常に重要であり、これらが高次元で実現できれば、ヒートアイランド現象の緩和、大気汚染物質の吸収・吸着、景観の向上等を図る上で効果的な壁面緑化をより普及させることが可能となる。
【０００７】
この点、特許文献１に開示された壁面緑化システムによると、壁面緑化システムにおけるメンテナンスの容易化、低コスト化、灌水効率の向上が図られている。しかしながら、未だ壁面緑化が世間一般に普及するまでには至っておらず、更なる維持管理の容易化、灌水効率の向上、低コスト化が要求されている。
【０００８】
そこで本願発明者は、上記の問題点に鑑み、維持管理を容易化しつつ灌水効率を高めて植栽の生育向上を図ると共に、導入コスト及び維持管理コストの低減を可能とする壁面緑化パネル及び当該壁面緑化パネルを利用した壁面緑化設備を提供するべく鋭意検討を重ねた結果、本発明に至ったのである。
【課題を解決するための手段】
【０００９】
即ち、本発明は、パネル本体が、底板と、該底板の外周縁に沿って立設された上枠、下枠及び両側枠によって形成され、前記底板上に、下層から樹皮層、樹脂メッシュ、ロックウール層の順で積層固定され、前記パネル本体内に、前記上枠に沿って灌水パイプが配設され、前記灌水パイプの側面部に複数の貫通孔が形成され、各前記貫通孔に導水用紐状物が挿通され、前記導水用紐状物によって前記灌水パイプ内の水を前記ロックウール層及び前記樹皮層に供給することを特徴とする壁面緑化パネルである。
【００１０】
また、本発明の壁面緑化パネルにおいて、前記貫通孔が前記灌水パイプの両側面部に各々形成され、相対する一対の前記貫通孔に前記導水用紐状物が挿通され、前記導水用紐状物の一方を前記ロックウール層に接触させ、前記導水用紐状物の他方を前記樹皮層に接触させ、前記導水用紐状物の中間部を前記灌水パイプ内の底部に固定してなることを特徴とする。
【００１１】
また、本発明は、前記壁面緑化パネルを複数並べて形成される壁面緑化設備であって、前記壁面緑化パネルの上枠及び下枠に、それぞれ複数の上側通水孔及び下側通水孔が形成され、前記灌水パイプの上面部に複数の導水孔が形成されていることを特徴とする。
【００１２】
更に、本発明の壁面緑化設備において、複数並べられた前記壁面緑化パネルの最上部に灌水手段を備え、該灌水手段が、複数並べられた前記壁面緑化パネルの横手方向に沿って配設される導水パイプと、該導水パイプの下面部に形成された開口に挿通される複数の給水パイプと、を含んで構成され、前記給水パイプの一端開口が前記導水パイプ内に位置し、前記給水パイプの他端開口が、最上部に位置する前記壁面緑化パネルに接続され、前記導水パイプ内の底部に位置する前記給水パイプの側面部に通水小孔が形成されていることを特徴とする。
【００１３】
また、本発明の壁面緑化設備において、前記導水パイプ内に砂利が敷設されていることを特徴とする。
【００１４】
更にまた、本発明の壁面緑化設備において、前記導水パイプの一端側に給水手段が接続され、複数の前記給水パイプの各前記一端開口の位置が、前記導水パイプの一端側から他端側にかけて徐々に低くなっていることを特徴とする。
【発明の効果】
【００１５】
本発明によると、灌水効率が高く、植栽の生育向上が図られた壁面緑化パネルを低コストで提供することができる。特に、樹皮層を設けることによって植栽の生育向上が図られると共に、灌水効率を高めることによって植栽枯れも防止でき、結果として維持管理の容易化、低コスト化が図られる。
【００１６】
また、本発明の壁面緑化パネルを複数並べることによって、維持管理の容易化、灌水効率の向上、植栽の生育向上が図られると共に、導入コスト及び維持管理コストの低減が図られた壁面緑化設備を提供することができる。特に、簡単な構成で効率よく灌水を可能とすることによって、維持管理コストの低減、植栽の生育向上が図られる。
【００１７】
更に、本発明の壁面緑化設備において、導水パイプと複数の給水パイプとを含んで構成される灌水手段を設けることによって、灌水効率の更なる向上を図ることができ、維持管理の容易化、植栽の生育向上を低コストで実現することができる。
【００１８】
また、本発明の壁面緑化設備において、前記導水パイプ内に砂利が敷設されていることによって、壁面緑化パネルに灌水する水を濾過することができ、導水、通水用の各種の孔の目詰まりを防止することができる。
【００１９】
更にまた、本発明の壁面緑化設備において、前記導水パイプの一端側に給水手段が接続され、複数の前記給水パイプの各前記一端開口の位置を前記導水パイプの一端側から他端側にかけて徐々に低くすることによって、導水パイプの一端側と他端側とにおける灌水ムラの防止が図られ、他端側に配設された壁面緑化パネルにも十分な灌水を行うことができる。
【図面の簡単な説明】
【００２０】
【図１】（ａ）は本発明の一実施形態に係る壁面緑化パネルの正面図、（ｂ）は（ａ）におけるＡ−Ａ断面図である。
【図２】本発明の一実施形態にかかる壁面緑化設備の正面図である。
【図３】図２におけるＢ−Ｂ断面図である。
【図４】図２に示した壁面緑化設備の部分拡大図である。
【図５】図４におけるＣ−Ｃ断面図である。
【発明を実施するための形態】
【００２１】
以下、本発明の壁面緑化パネルの一実施形態について、図面に基づいて説明する。図１（ａ）は、本発明の一実施形態に係る壁面緑化パネル１０を示す正面図、（ｂ）は（ａ）におけるＡ−Ａ断面図である。当該図１に示すように、本実施形態に係る壁面緑化パネル１０は、パネル本体１２と、パネル本体１２内に配設される灌水パイプ２０とによって主に構成されている。
【００２２】
本実施形態の壁面緑化パネル１０に係るパネル本体１２は、底板１３と、底板１３の外周縁に沿って立設された上枠１４、下枠１５及び両側枠１６，１６によって形成されている。そして図１（ｂ）に示すように、パネル本体１２に係る底板１３上に、下層から樹皮層Ｂ、樹脂メッシュＭ、ロックウール層Ｒの順で積層されており、支持プレート１７を介して底板１３に突設されたボルト１８とナット１９によって樹皮層Ｂ及び樹脂メッシュＭが一体に固定され、その上にロックウール層Ｒが敷設されている。
【００２３】
本実施形態の壁面緑化パネル１０では、ロックウール層Ｒに植物の種子を播種することによって植栽される。ロックウール層Ｒに播種された種子から伸びた根は、樹脂メッシュＭを介して樹皮層Ｂにまで到達して植栽を支持すると共に、ロックウール層Ｒ及び樹皮層Ｂから水分や養分を吸収する。
【００２４】
また、本実施形態に係るパネル本体１２内には、上枠１４に沿って灌水パイプ２０が配設されている。灌水パイプ２０の側面部には複数の貫通孔２１が形成され、各貫通孔２１に導水用紐状物２２が挿通されている。この導水用紐状物２２による毛細管現象によって、灌水パイプ２０内に供給された水がロックウール層Ｒや樹皮層Ｂに供給されるように構成されている。
【００２５】
ここで、本実施形態の壁面緑化パネル１０に係る灌水パイプ２０においては、貫通孔２１が灌水パイプ２０の両側面部に各々形成され（図１（ｂ）参照）、相対する一対の貫通孔２１，２１に一の導水用紐状物２２が挿通される。そして、導水用紐状物２２の一方をロックウール層Ｒに接触させ、導水用紐状物２２の他方を樹皮層Ｂに接触させる。また、導水用紐状物２２の中間部は、灌水パイプ２０内の底部に固定棒２３によって固定されている。従って、灌水パイプ２０内に供給された水は、毛細管現象によって導水用紐状物２２を介してロックウール層Ｒ及び樹皮層Ｂにそれぞれ供給されることとなる。
【００２６】
なお、本実施形態の壁面緑化パネル１０において、符号３０で示すのはパネル本体１２に係る上枠１４に形成された複数の上側通水孔、符号３１で示すのは、パネル本体１２に係る下枠１５に形成された複数の下側通水孔、符号３２で示すのは、灌水パイプ２０の上面部及び上方に形成された複数の導水孔である。これら上側通水孔３０、下側通水孔３１、導水孔３２については、本発明の壁面緑化設備の説明において詳述する。
【００２７】
以上のように、本実施形態によると、構造が単純でありながら、灌水効率が高く、植栽の生育が非常に良好な壁面緑化パネル１０を提供することができる。特に、導水用紐状物２２を介した毛細管現象による灌水方法を採用することによって、一旦、灌水パイプ２０内に水を供給することによって長時間掛けて少しずつ灌水することが可能となる。従って、従来の灌水方法、例えば所定量の水を断続的に供給する方法等に比べて灌水効率が高く、また低コストでの灌水が可能となるため、植栽の生育向上が図られた壁面緑化パネル１０を低コストで提供することができる。
【００２８】
また、本実施形態の壁面緑化パネル１０において、パネル本体１２内に樹皮層Ｂを設けることによって植栽の根張りが良好になると共に、灌水効率の向上も図られているため、植栽枯れの防止効果も高く、結果として維持管理の容易化、低コスト化が図られる。
【００２９】
なお、本実施形態の壁面緑化パネル１０に係る灌水パイプ２０では、貫通孔２１が灌水パイプ２０の両側面部に各々形成されているが、少なくとも一方の側面部に貫通孔２１が形成され、この貫通孔２１に一の導水用紐状物２２が挿通されてもよい。この場合は、導水用紐状物２２の一方をロックウール層Ｒ又は樹皮層Ｂに接触させ、導水用紐状物２２の他方を灌水パイプ２０内の底部に固定棒２３によって固定することによって、毛細管現象によって灌水パイプ２０内に供給された水をロックウール層Ｒ又は樹皮層Ｂに供給することができる。
【００３０】
また、本実施形態の壁面緑化パネル１０では、複数の導水用紐状物２２が灌水パイプ２０内の底部において、灌水パイプ２０の長手方向に沿って配設された長尺の固定棒２３によってまとめて固定されているが、導水用紐状物２２の固定方法は特に限定されず、複数の導水用紐状物２２を灌水パイプ２０内の底部に各々固定してもよい。
【００３１】
次に、本発明の壁面緑化パネルを複数並べて形成される壁面緑化設備の一実施形態について、図面に基づいて説明する。図２は、本発明の一実施形態に係る壁面緑化設備１１を示す正面図、図３は、図２におけるＢ−Ｂ断面図、図４は、図２に示した壁面緑化設備１１の部分拡大図、図５は、図４におけるＣ−Ｃ断面図である。これら図２から図５に示すように、本実施形態に係る壁面緑化設備１１は、上記実施形態に係る壁面緑化パネル１０を複数並べて形成される。
【００３２】
より具体的には、本実施形態の壁面緑化設備１１は、複数の壁面緑化パネル１０が上下方向及び左右方向に複数並べられている。各壁面緑化パネル１０は、壁面等に設けられた柱材４１及び横架材４２によって形成された支持枠体４０に着脱自在に固定されている。なお、支持枠体４０への固定方法は特に限定されないが、例えば、横架材４２に予め配設されたフック４３に壁面緑化パネル１０に係る下枠１５を嵌合し、押圧片４４によって上側に位置する壁面緑化パネル１０の下枠１５と、下側に位置する壁面緑化パネル１０の上枠１４とを押圧した状態で、ボルト４５で横架材４２に締結する方法等が挙げられる。このような壁面緑化パネル１０の固定方法によると、壁面緑化設備１１における任意の壁面緑化パネル１０のみを交換することが可能となり、維持管理の低コスト化が図られる。
【００３３】
本実施形態の壁面緑化設備１１に係る複数の壁面緑化パネル１０には、図１に示したとおり、まず壁面緑化パネル１０の上枠１４及び下枠１５に、それぞれ複数の上側通水孔３０及び下側通水孔３１が形成されている。
【００３４】
壁面緑化パネル１０が備える灌水パイプ２０の上面部及び上方には、複数の導水孔３２が形成されている。なお、灌水パイプ２０の上面部の導水孔３２は、上枠１４に形成された複数の上側通水孔３０に相対する位置に形成されることが好ましい。
【００３５】
つまり、上側に位置する壁面緑化パネル１０に係るパネル本体１２内と、下側に位置する壁面緑化パネル１０に係る灌水パイプ２０内とは、上側に位置する壁面緑化パネル１０に係る下側通水孔３１、下側に位置する壁面緑化パネル１０に係る上側通水孔３０及び灌水パイプ２０に係る導水孔３２を介して連通されている。つまり、上側に位置する壁面緑化パネル１０に係る灌水パイプ２０に供給された水は、毛細管現象により導水用紐状物２２を介してロックウール層Ｒ等に導水されて下方へと移動し、下側通水孔３１から下側に位置する壁面緑化パネル１０に係る上側通水孔３０及び灌水パイプ２０に係る導水孔３２を経て、下側に位置する壁面緑化パネル１０に係る灌水パイプ２０内に供給されることとなる。従って、最上部に位置する壁面緑化パネル１０が備える灌水パイプ２０内に水を供給することによって、上下方向に並べられた複数の壁面緑化パネル１０に係る最下部に位置する壁面緑化パネル１０にまで灌水することができる。
【００３６】
本発明の壁面緑化パネルを複数並べて形成される壁面緑化設備において、各壁面緑化パネルが備える灌水パイプへの水の供給方法は特に限定されず、各壁面緑化パネルが備える灌水パイプに対してそれぞれ水を供給する構成とすることも可能であるが、簡易な構成によって灌水効率を高めつつ低コストで水の供給を可能とするべく、本発明の壁面緑化設備においては、複数並べられた壁面緑化パネルの最上部に灌水手段を備えることが特に好ましい。
【００３７】
本実施形態の壁面緑化設備１１に係る灌水手段５０は、複数並べられた壁面緑化パネル１０の横手方向に沿って配設される導水パイプ５１と、導水パイプ５１の下面部に形成された開口５２に挿通される複数の給水パイプ５３と、を含んで構成されている。そして、各給水パイプ５３の一端開口５３ａが導水パイプ５１内に位置し、給水パイプ５３の他端開口５３ｂと、複数並べられた壁面緑化パネル１０のうち最上部に位置する壁面緑化パネル１０が備える上側通水孔３０とがチューブ５６によって接続されている。また、導水パイプ５１内の底部に位置する給水パイプ５３の側面部には通水小孔５４が形成されている。
【００３８】
更に、本実施形態の壁面緑化設備１１に係る灌水手段５０では、複数の給水パイプ５３の各一端開口５３ａの位置が、導水パイプ５１の一端５１ａ側から他端５１ｂ側にかけて徐々に低くなっていることを特徴とする。即ち、導水パイプ５１の一端５１ａ側の給水パイプ５３に係る一端開口５３ａの位置と他端５１ｂ側の給水パイプ５３に係る一端開口５３ａの位置との間に高低差ｔが設けられている。なお、導水パイプ５１の一端５１ａ側には不図示の給水手段が接続されている。給水手段は主に水タンクとポンプとを含んで構成され、水タンク内の水がポンプでくみ上げられて導水パイプ５１の一端５１ａ側から導水パイプ５１内へ供給されることとなる。更に、タイマーを備えることで、一定時間毎に水を供給することも可能である。
【００３９】
また、本実施形態に係る導水パイプ５１内には砂利５５が敷設されている。砂利５５の敷設高は特に限定されず、図２から図５に示した実施形態においては、給水パイプ５３の一端開口５３ａの高さより若干低い位置としているが、給水パイプ５３の一端開口５３ａから給水パイプ５３内への砂利５５の進入を防止する手段、例えばメッシュ等を備えていれば、一端開口５３ａの位置より上方まで砂利５５が敷設されてもよい。
【００４０】
以上の構成を備える本実施形態の壁面緑化設備１１によると、低コストで灌水効率の向上を図ることが可能である。特に、導水パイプ５１の一端５１ａ側と他端５１ｂ側とにおける灌水ムラの防止が図られ、他端５１ｂ側に配設された壁面緑化パネル１０にも十分な灌水を行うことができる。即ち、不図示の給水手段によって導水パイプ５１の一端５１ａ側から導水パイプ５１内へ供給された水は、給水パイプ５３の一端開口５３ａから他端開口５３ｂを経て壁面緑化パネル１０内へと導水される。導水パイプ５１への水の供給を停止すると、導水パイプ５１内に供給された水の水位は徐々に下がり、給水パイプ５３の一端開口５３ａの位置より下方となった時点で一端開口５３ａへの水の流入も停止する。その後は、給水パイプ５３の側面部に形成された通水小孔５４から少しずつ導水パイプ５１内の水が下方へと通水されることとなり、長時間掛けて少しずつ各壁面緑化パネル１０へ灌水することが可能となる。
【００４１】
ここで、複数の給水パイプ５３の各一端開口５３ａの位置を同じ高さとすると、導水パイプ５１の他端５１ｂ側に位置する給水パイプ５３の一端開口５３ａへの流入量が、一端５１ａ側に近い給水パイプ５３の一端開口５３ａへの流入量と比べて少なくなる。従って、壁面緑化設備１１の横手方向の長さが長くなればなるほど、導水パイプ５１の一端５１ａ側に位置する壁面緑化パネル１０と、他端５１ｂ側に位置する壁面緑化パネル１０との間に灌水ムラが生じるおそれがある。そこで、導水パイプ５１の一端５１ａ側と他端側５１ｂ側とで給水パイプ５３の一端開口５３ａに高低差ｔを設け、導水パイプ５１の他端側５１ｂに位置する給水パイプ５３の一端開口５３ａを、導水パイプ５１の一端５１ａ側に比べて低くすることによって、灌水ムラの防止が図られ、壁面緑化設備１１全体における灌水効率の向上を図ることができる。
【００４２】
また、本実施形態の壁面緑化設備１１において、灌水手段５０は非常に簡単な構成であると共に、灌水手段５０に係る導水パイプ５１へ水を供給するのみで、各壁面緑化パネル１０へ灌水することができ、維持管理の容易化、植栽の生育向上を低コストで実現することができる。
【００４３】
更に、本実施形態の壁面緑化設備１１に係る灌水手段５０おいて、導水パイプ５１内に砂利５５が敷設されていることによって、壁面緑化パネル１０に灌水する水を濾過することができ、壁面緑化パネル１０に係る上側通水孔３０や下側通水孔３１、導水孔３２等の導水、通水用の各種孔の目詰まりを防止することができる。
【００４４】
以上、本発明の壁面緑化パネル及び当該壁面緑化パネルを複数並べて形成される壁面緑化設備の実施形態について詳述したが、本発明の技術的思想を実質的に限定するものと解してはならない。
【００４５】
例えば、図２及び図３に示すように、壁面緑化設備１１に係る最下部において、複数並べられた壁面緑化パネル１０の横手方向に沿って集水樋５７が配設されてもよい。集水樋５７を配設することによって、壁面緑化設備１１に係る最下部に位置する壁面緑化パネル１０が備える下側通水孔３１から漏出した水を容易に回収することができる。集水樋５７によって回収された水を再び給水手段に係る水タンク（不図示）に戻すことによって、灌水用水の循環利用が可能となる。以上、本発明はその要旨を逸脱しない範囲で、当業者の創意と工夫により、適宜に改良、変更又は追加をしながら実施できる。
【符号の説明】
【００４６】
１０：壁面緑化パネル
１２：パネル本体
１３：底板
１４：上枠
１５：下枠
１６：側枠
２０：灌水パイプ
２１：貫通孔
２２：導水用紐状物
３０：上側通水孔
３１：下側通水孔
３２：導水孔
５０：灌水手段
５１：導水パイプ
５２：開口
５３：給水パイプ
５４：通水小孔
５５：砂利
５６：チューブ
Ｂ：樹皮層
Ｍ：樹脂メッシュ
Ｒ：ロックウール層
【図１】
2016096754.tif 000003
【図２】
2016096754.tif 000004
【図３】
2016096754.tif 000005
【図４】
2016096754.tif 000006
【図５】
2016096754.tif 000007